(57)【要約】【課題】自覚式検眼システムにおいて、被検者にストレスを与えることなく、オペレータの検査労力の軽減および検査時間の短縮を図ることができるものとする。【解決手段】一対の光学素子を相対的に変位可能に重ね合わせ、相対的な変位に応じて球面度数Ｓ１を連続的に変化させるアルバレッツレンズ４３と、着脱可能に準備された単一の球面度数Ｓ２を有するシフト用レンズ４５とを備え、屈折特性検出部５２が、アルバレッツレンズ４３の球面度数Ｓ１とシフト用レンズ４５の球面度数Ｓ２との合成球面度数Ｓを求めて、表示ユニット５０の表示部５１が、この合成球面度数Ｓを表示する。【選択図】　　　　図２
2004073412.tif 000002
【特許請求の範囲】
【請求項１】
検眼用のレンズと該レンズの屈折特性を変化させる屈折特性変化手段とを有する自覚式検眼ユニットと、前記レンズの屈折特性を検出する屈折特性検出手段と、前記屈折特性検出手段によって検出された前記屈折特性を表示する表示ユニットとを備えた自覚式検眼システムにおいて、
前記レンズは、一対の光学素子が相対的に変位可能に重ね合わされて、前記相対的な変位に応じて前記屈折特性を連続的に変化させるアルバレッツレンズと、着脱可能に準備された単一の屈折特性を有する少なくとも一種類のシフト用レンズとを備え、
前記屈折特性検出手段は、前記アルバレッツレンズの屈折特性と前記自覚式検眼ユニットに装着されたシフト用レンズの屈折特性との合成屈折特性を求めるものであり、
前記表示ユニットは、前記屈折特性検出手段によって求められた前記合成屈折特性を表示するものであることを特徴とする自覚式検眼システム。
【請求項２】
前記シフト用レンズは、該シフト用レンズの屈折特性を表す識別部を有し、
前記屈折特性検出手段は、前記シフト用レンズが装着される前記自覚式検眼ユニットの装着部に装着されたシフト用レンズの識別部が表す屈折特性を検出するものであることを特徴とする請求項１記載の自覚式検眼システム。
【請求項３】
前記屈折特性変化手段は、前記一対の光学素子をモータ駆動により相対的に変位させる変位手段であり、
前記屈折特性検出手段は、前記相対的な変位量と前記屈折特性とを予め対応づけてなる参照テーブルと、前記相対的な変位量を検出する変位検出手段とを有し、前記変位検出手段によって検出された相対的な変位量に対応する屈折特性を、前記参照テーブルを参照することにより求めるものであり、
前記表示ユニットは、前記変位手段のモータ駆動を制御するコントローラを備えたことを特徴とする請求項１または２記載の自覚式検眼システム。
【発明の詳細な説明】
【０００１】
【発明の属する技術分野】
本発明は、自覚式検眼システムに関し、詳細には、自覚式検眼ユニットと表示ユニットとを備えた検眼システムの改良に関する。
【０００２】
【従来の技術】
従来より、眼科医等のオペレータは、他覚式のレフラクトメータや自覚式のピジョンテスター等の検眼装置を用いて、被検眼の各種屈折特性を測定し、得られた屈折特性に基づいて、この被検眼に適合する眼鏡の球面度数Ｓ、円柱度数Ｃ、円柱軸の軸角度Ａ等の処方値を決定している。
【０００３】
ところで近年、上述した自覚式検眼装置として、屈折力が異なる多数のレンズを円周状に配設してなるターレットを筐体内部に備え、ターレットを所定角度回転させることによって、これら多数のレンズのうち任意の一つを選択的に被検眼の正面に配置するとともに、この被検眼の正面に配置されたレンズの屈折特性を検出して外部に出力する自覚式検眼ユニットと、この検眼ユニットから出力された屈折特性や、この屈折特性に基づく処方値を表示する表示ユニットとから構成された自覚式検眼システムが開発されている（特開２００１−３４６７６２号等）。
【０００４】
また、検眼ユニットの内部にモータ駆動装置等を組み込んで、ターレットをこのモータ駆動装置等によって回転駆動とするとともに、モータ駆動装置の駆動制御を行うコントローラを表示ユニットに一体的に設けたリモート式の自覚式検眼システムも開発されている。
【０００５】
そして、このようなリモート式の検眼システムによれば、オペレータは、表示ユニットの表示を確認しながら、検眼ユニットのレンズの選択操作を行うことができ、検眼ユニットに近づいてターレットを回転操作する必要がない。
【０００６】
したがって、オペレータの検眼作業を軽減することができるとともに、被検者も、オペレータが傍らで検眼ユニットの操作を行わないため、リラックスして受診することができる。
【０００７】
ところで、上述した自覚式検眼システムによって屈折特性あるいは処方値を得られるものの、実際に処方する眼鏡の屈折特性としてこの処方値等をそのまま適用するのは、必ずしも好ましいものではない。
【０００８】
すなわち、上述した検眼システムで求められる処方値は、被検者が、検眼ユニットの選択されたレンズを介して、例えば５ｍ先の視力検査用チャートに記載された記号や文字を正常に視認できるか否かに基づいて決定されるものであり、遠方視での視力検査いわゆる遠方視検査によるものである。
【０００９】
これに対して、実際に処方された眼鏡を用いる環境では、遠方視だけでなく手元にある新聞等の文字を見たり足元の歪みを確認することもあり、このような場合に、目には過度の調整力が要求されて、被検者は目に極度の疲労を感じたり、目眩や頭痛を感じる場合もある。
【００１０】
そこで、遠方視と近方視とをある程度バランスさせて矯正することが必要となり、最終的には、眼鏡形のトライアルフレームを被検者の顔面に装用させた上で、処方値に近い屈折特性のレンズを選択的に順次、このトライアルフレームに装着し、遠方や近方の見え方等を聞き取って、最終的な処方値を決定する調整用検査が実施されている。
【００１１】
しかし、このように遠方視検査と調整用検査とを行うのは手間がかかるという問題があり、また、検査に要する時間も長時間化している。
【００１２】
このような事情に鑑み、本願発明者らは、遠方視検査と近方視検査とを単一の検眼ユニットで行うことができるように、検眼ユニットを従来よりも大幅に小型化した検眼システムを開発した。
【００１３】
すなわち、この検眼ユニットは、上記レンズとしてアルバレッツレンズ（ＡＬＶＡＲＥＺ　ＬＥＮＺ）を用いたものであり、従来の検眼ユニットに用いられていたターレットが不要となるため、検眼ユニット自体を被検者に装用させることができる程度まで大幅に小型化、軽量化することができる。
【００１４】
また、装用可能とすることによって、被検者は首振りなどを自由に行うことができ、拘束からの自由度を向上させることができる。
【００１５】
なお、アルバレッツレンズは、一方の面が、ｘ＝Ａ｛（１／３）ｙ３＋ｙｚ２｝で表される非球面で、かつ他方の面が平面で形成された光学素子（例えば、位相板等）２枚によって構成されている。
【００１６】
そして、これら２枚の光学素子の非球面側を対向させ、互いに１８０°回転させた位置を保ち、両者を互いに反対方向に同一の変位量（移動量）だけ変位（移動）させることによって、屈折力を連続的に変化させることができる（米国特許３，３０５，２９４号）。
【００１７】
【発明が解決しようとする課題】
ところで、検眼ユニットの大きさを、被検者に装用可能とする大きさまで小型化する場合、アルバレッツレンズを構成する２枚の光学素子の変位量をある程度の上限値に抑制する必要がある。
【００１８】
一方、アルバレッツレンズの屈折特性のレンジ幅は、一般に、光学素子の変位量に依存する。すなわち、屈折特性のレンジ幅を拡大するには、一般には、変位量を大きく確保する必要があり、その場合、この光学素子を収容する検眼ユニットの筐体が大きくなってしまう。
【００１９】
ここで、アルバレッツレンズの非球面形状を工夫することによって、同一の変位量であっても、より広いレンジ幅の屈折特性を得ることも可能であるが、上述したように、アルバレッツレンズの非球面形状は複雑な３次曲面であるため、面形状の精度確保、製造コスト抑制の観点から、現状においては、例えばレンジ−１０Ｄ（ディオプタ）〜＋１０Ｄという２０Ｄのレンジ幅を確保するためには、変位量１２ｍｍ程度が下限である。
【００２０】
この−１０Ｄ〜＋１０Ｄという屈折特性のレンジは、一般的な被検者については十分な屈折特性であり、自覚式検眼システムとして十分な性能である。
【００２１】
しかし、特異的にこのレンジの上限を上回り、あるいは下限を下回るレンジを必要とする場合もある。
【００２２】
そこで、本願発明者らは、アルバレッツレンズの屈折特性のレンジはそのままで、このレンジを上下に選択的にシフトさせるシフト用レンズを着脱式で付加することにより、検眼ユニット全体としての屈折特性のレンジを拡大する技術を開発した。
【００２３】
すなわち、このようなシフト用レンズとして、例えば、−１０Ｄのもの、−５Ｄのもの、＋５Ｄのもの、＋１０Ｄのものを予め準備し、これらのうち１つを選択的に付加することにより、検眼ユニット全体としての屈折特性のレンジを、−２０Ｄ〜±０Ｄ、−１５Ｄ〜＋５Ｄ、−５Ｄ〜＋１５Ｄ、または±０〜＋２０Ｄに変更することができ、全体としてのレンジ幅を実質的に拡大することができる。
【００２４】
しかしながら、このようにシフト用レンズを用いた場合、オペレータが、アルバレッツレンズの屈折特性と、シフト用レンズの屈折特性とを紙などに記録等して、両屈折特性の光学的な合成値である合成屈折特性を、オペレータ自らが計算して求める必要がある。
【００２５】
また、記録時の誤記や計算間違い等によって、正しい合成屈折特性を得ることができない場合もある。
【００２６】
本発明は上記事情に鑑みなされたもので、オペレータの検査労力を軽減するとともに、正確に屈折特性を得ることができる自覚式検眼システムを提供することを目的とするものである。
【００２７】
【課題を解決するための手段】
上記課題を解決するため、本発明の請求項１に係る自覚式検眼システムは、検眼用のレンズと該レンズの屈折特性を変化させる屈折特性変化手段とを有する自覚式検眼ユニットと、前記レンズの屈折特性を検出する屈折特性検出手段と、前記屈折特性検出手段によって検出された前記屈折特性を表示する表示ユニットとを備えた自覚式検眼システムにおいて、前記レンズは、一対の光学素子が相対的に変位可能に重ね合わされて、前記相対的な変位に応じて前記屈折特性を連続的に変化させるアルバレッツレンズと、着脱可能に準備された単一の屈折特性を有する少なくとも一種類のシフト用レンズとを備え、前記屈折特性検出手段は、前記アルバレッツレンズの屈折特性と前記自覚式検眼ユニットに装着されたシフト用レンズの屈折特性との合成屈折特性を求めるものであり、前記表示ユニットは、前記屈折特性検出手段によって求められた前記合成屈折特性を表示するものであることを特徴とする。
【００２８】
ここで、屈折特性とは、眼鏡の球面度数Ｓ、円柱度数Ｃ、円柱軸の軸角度Ａ等の処方値に係わるものをいうが、これら処方値自体であってもよい。
【００２９】
屈折特性検出手段は、自覚式検眼ユニットあるいは表示ユニットに組み込まれていてもよいし、これらとは別体であってもよい。
【００３０】
アルバレッツレンズは、一方の面が、ｘ＝Ａ｛（１／３）ｙ３＋ｙｚ２｝で表される非球面で、かつ他方の面が平面で形成された光学素子（例えば、位相板等）２枚によって構成されている。
【００３１】
そして、これら２枚の光学素子の非球面側を対向させ、互いに１８０°回転させた位置を保ち、両者を互いに反対方向に同一の変位量だけ移動させることによって、屈折力を連続的に変化させることができる（米国特許３，３０５，２９４号）。
【００３２】
着脱可能にとは、検眼ユニットに対して着脱自在に、という意味であり、検眼ユニットに装着されている状態においては、シフト用レンズの光軸がアルバレッツレンズの光軸に略一致するように配置されるのが好ましい。
【００３３】
単一の屈折特性を有するシフト用レンズとは、例えば＋１０Ｄのレンズ、＋５Ｄのレンズ、−５Ｄのレンズ、−１０Ｄのレンズ、というように屈折特性が変化しないレンズであり、アルバレッツレンズの屈折特性レンジでは補正不可能な被検眼に対して、アルバレッツレンズと併せて補助的に用いるレンズを意味する。
【００３４】
このため、上記例示のシフト用レンズの全てを準備する必要はなく、例えば統計的にアルバレッツレンズのレンジから＋方向に外れる傾向があれば、＋５Ｄあるいは＋１０Ｄのレンズのみ準備しておけばよい。
【００３５】
このように構成された本発明の請求項１に係る自覚式検眼ユニットによれば、屈折特性を連続的に変化させることができるアルバレッツレンズを用いており、屈折特性変化手段であるところの変位手段によって、アルバレッツレンズを構成する２枚の光学素子を相対的に変位させることによって、アルバレッツレンズの屈折特性を変化させることができるため、従来のように、多数のレンズが配されていたターレットを備える必要がなく、自覚式検眼ユニットを小型化、軽量化することができる。
【００３６】
そして、この小型・軽量化により、被検者は、検眼ユニットを用いて手元や足元を見ることもでき、従来の遠方視検査だけでなく、近方視検査にもそのまま使用することができる。
【００３７】
また、検眼ユニットを被検者に装用させることができるため、被検者は首振り動作を自由に行うことができ、拘束の自由度を向上させることができる。
【００３８】
したがって、従来は検眼ユニットによる遠方視検査の後にトライアルフレームを用いて行っていた調整用の検査を、この検眼ユニットをそのまま用いて行うことができ、眼科医等のオペレータの検査労力の軽減および検査時間の短縮、並びに被検者のストレス軽減を図ることができる。
【００３９】
さらに、アルバレッツレンズは連続的に屈折特性を変化させることができるため、離散的な屈折特性（例えば０．２５Ｄ間隔）のみしか得られなかった従来の検眼ユニットよりも、きめ細かく屈折特性を得ることができる。
【００４０】
また、アルバレッツレンズによる屈折補正レンジの上限を上回り、あるいは下限を下回る屈折補正レンジが必要である場合には、その屈折補正レンジに適合するように、シフト用レンズを検眼ユニットに追加的に装着することによって、所望の屈折補正レンジに対応することができる。
【００４１】
そして、このようにシフト用レンズを用いた場合におけるアルバレッツレンズの屈折特性とシフト用レンズの屈折特性との合成屈折特性は、屈折特性検出手段によって求められて、表示ユニットに表示されるため、オペレータ自らが、これら両レンズの合成屈折特性を計算して求める必要がなく、オペレータの作業負担を軽減させるとともに、常に正確に屈折特性（合成値）を得ることができる。
【００４２】
また、本発明の請求項２に係る自覚式検眼システムは、請求項１に係る自覚式検眼システムにおいて、前記シフト用レンズは、該シフト用レンズの屈折特性を表す識別部を有し、前記屈折特性検出手段は、前記シフト用レンズが装着される前記自覚式検眼ユニットの装着部に装着されたシフト用レンズの識別部が表す屈折特性を検出するものであることを特徴とする。
【００４３】
ここで、識別部は、光学的方式によるもの、電気的方式によるもの、磁気的方式によるもの、あるいは機械的方式によるもの等、いずれの方式によるものであってもよい。
【００４４】
このように構成された本発明の請求項２に係る自覚式検眼システムによれば、屈折特性検出手段が、検眼ユニットに装着されたシフト用レンズの識別部に基づいてこのシフト用レンズの屈折特性を自動的に検出するため、オペレータが誤認する余地がなく、シフト用レンズの屈折特性を容易にかつ確実に特定することができる。
【００４５】
また、本発明の請求項３に係る自覚式検眼システムは、請求項１または２に係る自覚式検眼システムにおいて、前記屈折特性変化手段は、前記一対の光学素子をモータ駆動により相対的に変位させる変位手段であり、前記屈折特性検出手段は、前記相対的な変位量と前記屈折特性とを予め対応づけてなる参照テーブルと、前記相対的な変位量を検出する変位検出手段とを有し、前記変位検出手段によって検出された相対的な変位量に対応する屈折特性を、前記参照テーブルを参照することにより求めるものであり、前記表示ユニットは、前記変位手段のモータ駆動を制御するコントローラを備えたことを特徴とする。
【００４６】
ここで、参照テーブルは、相対的な変位量と、この相対的な変位量に対応して得られる屈折特性とを、例えば予め実験的に求め、得られた実験結果に基づいて作成すればよく、いわゆるルックアップテーブル（ＬＵＴ）の形式で保持していてもよいし、回帰式の如く関数形式で保持していてもよい。
【００４７】
このように構成された本発明の請求項３に係る自覚式検眼システムによれば、表示ユニットに備えられたコントローラを操作することによって、検眼ユニットのアルバレッツレンズの屈折特性を変化させることができ、オペレータが検眼ユニットを操作する必要がなく、被検者に近づくことなく遠隔操作を行うことができる。
【００４８】
したがって、被検者にストレスを与えることなく、オペレータの検査労力をさらに軽減し、検査時間をさらに短縮させることができる。
【００４９】
また、屈折特性検出手段を構成する変位検出手段によって、光学素子間の相対的な変位を検出し、この検出された相対的な変位を、参照テーブルによって予め対応づけられている相対的な変位と比較対照して、この相対的な変位に対応する屈折特性を容易に得ることができる。
【００５０】
なお、上述した本発明に係る各自覚式検眼システムにおいて、アルバレッツレンズの屈折特性レンジ幅を略２０Ｄ（例えば、レンジを−１０Ｄ〜＋１０Ｄ）に設定した場合、通常のアルバレッツレンズ製作技術によれば、２枚の光学素子間の相対的な変位量の幅は概略１２ｍｍ程度であり、この程度の変位量の幅であれば、光学素子の可動範囲を検眼ユニットの筐体で完全に覆った場合にも、筐体の大きさを従来のターレット式の筐体よりも大幅に小さく構成することができる。
【００５１】
【発明の実施の形態】
以下、本発明に係る自覚式検眼システムの実施の形態について、図面を用いて説明する。
【００５２】
図１は、本発明に係る自覚式検眼システムの一実施の形態を表す概略構成図である。
【００５３】
図示の自覚式検眼システム１００は、視力検査用のチャート（以下、検眼チャートという。）１１を提示するチャート提示装置１０と、被検者とチャート提示装置１０との間に介在されるピジョンテスタ（自覚式検眼ユニット）２０と、このピジョンテスタ２０のヘッドユニット３１に設けられたアルバレッツレンズ等の屈折特性に対応する眼鏡用の処方値である球面度数Ｓ、円柱度数Ｃおよび円柱軸の軸角度Ａを表示する表示ユニット５０とを備えた構成である。
【００５４】
ここで、チャート提示装置１０は、ランドル環チャート、ひらがなチャート、乱視チャート、レッド・グリーンテストチャート等各種屈折特性を検眼するのに対応した複数種類の検眼チャート１１を備えており、後述する表示ユニット５０に内蔵されたコントローラ５３を操作することによって、上記複数種類の検眼チャート１１のうち１つまたは２つ以上を任意に切り替えて提示するように構成されている。
【００５５】
ピジョンテスタ２０は、図２に示すように、被検者８０の左右の眼球にそれぞれ対応した左右一対のフォロプタ３１ａ，３１ｂが一体化されて被検者８０に装用されるヘッドユニット３１と、ヘッドユニット３１の装用重量を軽減するためのバランサ３２と、ヘッドユニット３１およびバランサ３２を上方から支持する支持アーム３３および支柱３４とを備えている。
【００５６】
ここで、ヘッドユニット３１には、このヘッドユニット３１を被検者８０の顔に装用するための左右一対のテンプル３５および鼻当て３６が設けられており、これらのテンプル３５および鼻当て３６は、被検者８０の耳位置や鼻位置に応じて適宜調整可能に構成されている。
【００５７】
さらに各テンプル３５の後端には、これらの両テンプル３５に架け渡されて被検者８０の頭部に巻回される長さ調整可能のベルクロストラップ３５ｂが設けられており、ヘッドユニット３１を被検者８０に装用したときに、ヘッドユニット３１が被検者の顔から滑り落ちるのを防止している。
【００５８】
ヘッドユニット３１の両側部には、ヘッドユニット３１を前後方向に回動可能に軸支するとともに、一端にバランサ３２が連結された支持ワイヤ３８の他端側とスプリング３９を介して連結された略半円環帯状の支持枠３７が設けられている。
【００５９】
また、ヘッドユニット３１の各フォロプタ３１ａ，３１ｂには、このヘッドユニット３１が被検者８０に装用された状態において、被検者８０の各眼球位置に対応する位置に、前方に配置されたチャート提示装置１０を視認可能とする検眼窓４１，４２がそれぞれ形成されている。
【００６０】
さらに、これらフォロプタ３１ａ，３１ｂの内部には、アルバレッツレンズ４３およびＶｃｃレンズ４４が配設されている。
【００６１】
ここで、アルバレッツレンズ４３は、図３に示すように、２枚一対の透明な光学素子（例えば、位相板等）４３ａ，４３ｂが互いに重なり合って構成され、これらの重ね合わせ面の表面形状は、ｘ＝Ａ｛（１／３）ｙ３＋ｙｚ２｝で表される３次曲面に形成され、これら２枚の光学素子４３ａ，４３ｂを、これらの光軸Ｘに直交する面内で相対的に上下変位させることにより、両光学素子４３ａ，４３ｂを光学的に合成して得られる屈折力を連続的に変化させることができる。
【００６２】
この実施の形態における両光学素子４３ａ，４３ｂの上下方向の最大相対的変位量Ｌｍａｘは例えば略１２ｍｍである。
【００６３】
そして、この変位量１２ｍｍによって、フォロプタ３１ａ，３１ｂの検眼窓４１，４２を介して検眼チャート１１に臨まれるアルバレッツレンズ４３の球面度数Ｓ１を、−１０Ｄ（ディオプタ）〜＋１０Ｄの範囲で連続的に変化させる。
【００６４】
また、このアルバレッツレンズ４３と同軸Ｘ上に配設されたＶｃｃレンズ４４を構成する２枚のシリンダレンズ４４ａ，４４ｂは、光軸Ｘを中心に回転させることによって、検眼窓４１，４２を介して検眼チャート１１に臨まれるＶｃｃレンズ４４の円柱度数Ｃおよび円柱軸の軸角度Ａを変化させる。
【００６５】
さらに、ヘッドユニット３１の内部には、アルバレッツレンズ４３の光学素子４３ａ，４３ｂを相対的に上下変位させる変位手段としてのラックアンドピニオンギヤ４３ｃおよびモータ４３ｄと、Ｖｃｃレンズ４４のシリンダレンズ４４ａ，４４ｂをそれぞれ回転変位させるギヤ４４ｃおよびモータ４４ｄと、これら各モータ４３ｄ，４４ｄによって変位された光学素子４３ａ，４３ｂの相対的変位量Ｌおよびシリンダレンズ４４ａ，４４ｂの回転変位量θ１，θ２をそれぞれ所定の基準位置からの回転変位量として検出する検出手段４３ｅ，４４ｅが設けられている。
【００６６】
これらの検出手段４３ｅ，４４ｅとしては、代表的には、ラックアンドピニオンギヤ４３ｃやギヤ４４ｃに設けられたエンコーダとＬＥＤ／フォトダイオードとからなる検出系などがあるが、その他の公知の種々の検出装置を適用することができる。
【００６７】
またエンコーダは、ロータリーエンコーダであってもよいし、リニアエンコーダであってもよい。
【００６８】
さらに、検眼窓４１，４２のチャート提示装置１０に対向する面には、球面度数Ｓを一律にシフトさせるシフト用レンズ４５を択一的に着脱可能に装着させることができるシフト用レンズ装着部４６が形成されている。
【００６９】
そして、このシフト用レンズ装着部４６に装着されるシフト用レンズ４５としては、球面度数Ｓ２が＋１０Ｄのレンズ、＋５Ｄのレンズ、±０のレンズ、−５Ｄのレンズ、および−１０Ｄのレンズ、という５つの種類のものが予め準備されており、これらのうち選択された１つとアルバレッツレンズ４３とを組み合わせることによって、検眼窓４１，４２を介して検眼チャート１１に臨まれるアルバレッツレンズ４３およびシフト用レンズ４５の合成球面度数Ｓ（＝Ｓ１＋Ｓ２）を−２０Ｄ〜±０Ｄ、−１５Ｄ〜＋５Ｄ、−１０Ｄ〜＋１０Ｄ、−５Ｄ〜＋１５Ｄ、±０Ｄ〜＋２０Ｄのいずれかの範囲に設定することができ、実質的にアルバレッツレンズ４３の球面度数Ｓのレンジ幅を−２０Ｄ〜＋２０Ｄの範囲まで拡大することができる。
【００７０】
また、各シフト用レンズ４５の、シフト用レンズ装着部４６に装着されるタブ部分４５ａには、それぞれのシフト用レンズ４５を光学的に識別するための異なる反射パターン４５ｂが形成されている。
【００７１】
そして、シフト用レンズ装着部４６には、これに装着されたシフト用レンズ４５の反射パターン４５ｂを光学的に読み取る光検出器４８が設けられており、読み取って得られた反射パターン４５ｂに応じた球面度数Ｓ２を検出する。
【００７２】
なお、ヘッドユニット３１のフォロプタ３１ａ，３１ｂは、左右の検眼窓４１，４２に被検者の左右の眼球位置が適合するように、すなわち瞳孔間距離（ＰＤ）に適合するように、左右方向への調整が可能となっている。
【００７３】
表示ユニット５０には、図４に示すように、検出手段４３ｅによって検出された光学素子４３ａ，４３ｂの相対的変位量Ｌに基づいて、アルバレッツレンズ４３の球面度数Ｓ１を算出して、光検出器４８によって検出されたシフト用レンズ４５の球面度数Ｓ２との光学的合成値である合成球面度数Ｓを算出するとともに、検出手段４４ｅによって検出されたシリンダレンズ４４ａ，４４ｂの回転変位量θ１，θ２に基づいて、Ｖｃｃレンズ４４の円柱度数Ｃおよび円柱軸の軸角度Ａを算出する屈折特性検出部５２と、算出されたこれらの合成球面度数Ｓ、円柱度数Ｃおよび円柱軸の軸角度Ａ、並びにチャート提示装置１０に選択的に提示された検眼チャート１１の種類を表す模式図１２等をそれぞれ表示する表示部５１とを備えている。
【００７４】
ここで、屈折特性検出部５２は、光学素子４３ａ，４３ｂの相対的変位量Ｌと、この相対的変位量Ｌのときの球面度数Ｓ１とを予め実験的に求めて、これら求められた両者Ｌ，Ｓ１を参照テーブル５２ａとして予め記憶しておき、実際の検眼時に検出された相対的変位量Ｌに対応する球面度数Ｓ１を、参照テーブル５２ａを参照して求める。
【００７５】
同様に、屈折特性検出部５２は、シリンダレンズ４４ａ，４４ｂの回転変位量θ１，θ２と、この回転変位量θ１，θ２のときの円柱度数Ｃおよび円柱軸の軸角度Ａとを予め実験的に求めて、これら求められた両者θ１およびθ２とＣおよびＡとを参照テーブル５２ａとして予め記憶しておき、実際の検眼時に検出された回転変位量θ１，θ２に対応する円柱度数Ｃおよび円柱軸の軸角度Ａを、参照テーブル５２ａを参照して求める。
【００７６】
さらに、表示ユニット５０には、光学素子４３ａ，４３ｂを変位させるモータ４３ｄおよびシリンダレンズ４４ａ，４４ｂを回転変位させるモータ４４ｄをそれぞれ駆動制御するとともに、チャート提示装置１０に提示する検眼チャート１１を任意に選択して切り替えて、この提示された検眼チャート１１に対応する図柄１２を表示部５１に表示させるコントローラ５３が内蔵されている。
【００７７】
なお、上述した支持アーム３３および支柱３４は、可動の検査用専用デスク６０上に固定され、また、この検査用専用デスク６０上には表示ユニット５０も載置される。
【００７８】
次に、本実施の形態に係る自覚式検眼システム１００の作用について説明する。
【００７９】
まず、被検者８０がこの検査用専用デスク６０とセットで提供された検査用の椅子６１に、デスク６０に向かって腰掛け、眼科医等のオペレータ９０によって、ヘッドユニット３１が装用される。
【００８０】
このとき、ヘッドユニット３１のフォロプタ３１ａ，３１ｂに形成された左右の検眼窓４１，４２が被検者８０のＰＤに適合するように、予めオペレータによって、ヘッドユニット３１のフォロプタ３１ａ，３１ｂが左右方向に調整される。
【００８１】
また、装用に際しては、テンプル３５が被検者８０の耳位置に合わせて調整され、鼻当て３６が鼻位置に合わせて調整され、ベルクロストラップ３５ｂが頭部に巻回されて、ヘッドユニット３１は被検者８０に装用固定される。
【００８２】
このとき、ヘッドユニット３１は、スプリング３９を介して支持ワイヤ３８に連結されたバランサ３２で重量バランスがとられているため、被検者８０は、装用されたヘッドユニット３１を重く感じることはなく、また、装用された状態から自重によって脱落することもない。
【００８３】
また、オペレータ９０は、図示しないレフラクトメータ等の他覚式検眼装置によって予め検眼した結果に基づいて、被検者８０の被検眼に適合すると予測したシフト用レンズ４５を１つ選択して、シフト用レンズ装着部４６に装着する。
【００８４】
このようにしてヘッドユニット３１が装用された被検者８０は、ヘッドユニット３１の検眼窓４１，４２から、ヘッドユニット３１の内部に設けられたアルバレッツレンズ４３、Ｖｃｃレンズ４４、およびヘッドユニット３１の外部に付加的に装着されたシフト用レンズ４５を介して、検査用専用デスク６０の前方に配置されたチャート提示装置１０に提示されたチャート１１（図１）を視認する。
【００８５】
ここで、例えばシフト用レンズ４５として、シフト量が＋５Ｄのレンズがシフト用レンズ装着部４６に装着された場合について説明する。
【００８６】
このシフト用レンズ４５のタブ部分４５ａがシフト用レンズ装着部４６に装着されると、図３に示すように、光検出器４８がこのタブ部分４５ａに形成された反射パターン４５ｂを光学的に読み取り、この読み取って得られた反射パターン４５ｂに応じた球面度数Ｓ２を検出する。
【００８７】
このように、シフト用レンズ４５の球面度数Ｓ２は、光検出器４８によって自動的に検出されるため、オペレータ９０が、特定のシフト用レンズ４５をシフト用レンズ装着部４６に装着したときに、オペレータ９０がこの装着したシフト用レンズ４５の球面度数Ｓ２を誤ってメモしたり転記するなどのミスを防止することができる。
【００８８】
一方、ヘッドユニット３１の内部のアルバレッツレンズ４３を構成する２つの光学素子４３ａ，４３ｂ間の相対的変位量Ｌが、検出手段４３ｅによって検出される。
【００８９】
なお、初期的には両光学素子間の相対的変位量Ｌはゼロであり、この値ゼロが、検出手段４３ｅから表示ユニット５０の屈折特性検出部５２に送出される（図４）。
【００９０】
同様に、ヘッドユニット３１の内部のＶｃｃレンズ４４を構成する２つのシリンダレンズ４４ａ，４４ｂの各回転変位量θが検出手段４４ｅによって検出される。
【００９１】
なお、初期的にはシリンダレンズの角度変位はゼロであり、この値ゼロが、検出手段４４ｅから表示ユニット５０の屈折特性検出部５２に送出される。
【００９２】
そして、屈折特性検出部５２は、検出手段４３ｅから入力された相対的変位量Ｌ（＝０：初期値）に対応する球面度数Ｓを、参照テーブル５２ａを参照して求め、検出手段４４ｅから入力された回転変位量θ１，θ２（＝０：初期値）に対応する円柱度数Ｃおよび円柱軸の軸角度Ａを、参照テーブル５２ａを参照して求める。
【００９３】
さらに、屈折特性検出部５２は、得られたアルバレッツレンズ４３の球面度数Ｓ１とシフト用レンズ４５の球面度数Ｓ２との光学的合成値である合成球面度数Ｓを算出し、算出された合成球面度数Ｓ、Ｖｃｃレンズ４４の円柱度数Ｃおよび円柱軸の軸角度Ａを表示部５１に送出する。
【００９４】
このようにして、屈折特性検出部５２から表示部５１に入力された合成球面度数Ｓ、Ｖｃｃレンズ４４の円柱度数Ｃおよび円柱軸の軸角度Ａの各値は、図５に示すように、オペレータ９０に視認可能な数値等として表示部５１に表示される。
【００９５】
表示部５１に表示された各屈折特性（合成球面度数Ｓ、円柱度数Ｃおよび円柱軸の軸角度Ａの各値）は、検眼窓４１，４２の位置におけるアルバレッツレンズ４３、Ｖｃｃレンズ４４およびシフト用レンズ４５の屈折特性となる。
【００９６】
次いで、オペレータ９０は、検査用専用デスク６０の側方にセッティングされた椅子６２に座り、表示ユニット５０の表示部５２に表示された上記各屈折特性と、チャート提示装置１０に選択的に提示されている検眼チャート１１を表す図柄１２の表示（図５参照）とを見つつ、被検者８０がヘッドユニット３１の検眼窓４１，４２を通して、チャート提示装置１０に提示されている検眼チャート１１の見え方を聞き取りながら、被検者８０の被検眼について、遠方視の屈折特性が最適となるように、アルバレッツレンズ４３、Ｖｃｃレンズ４４およびシフト用レンズ４５の屈折特性を順次変化させ、あるいはチャート提示装置１０に提示する検眼チャート１１の選択を切り替えるように、コントローラ５３を操作する。
【００９７】
例えば、アルバレッツレンズ４３の球面度数Ｓを変化させるようにコントローラ５３を操作すると、このコントローラ５３の駆動制御によってフォロプタ３１ａ，３１ｂ内のモータ４３ｄが駆動・停止し、このモータ４３ｄの駆動・停止に応じて、アルバレッツレンズ４３を構成する２枚の光学素子４３ａ，４３ｂが相対的に上下方向に変位する。
【００９８】
そして、この両光学素子４３ａ，４３ｂ間の相対的変位量Ｌに応じて、検眼窓４１，４２におけるアルバレッツレンズ４３の球面度数Ｓ１が変化する。
【００９９】
一方、この相対的変位量Ｌは検出手段４３ｅによって検出され、上述した初期値Ｌ＝０の場合と同様の作用によって、屈折特性検出手段５２が相対的変位量Ｌに対応した球面度数Ｓ１を求め、さらにこの求められた球面度数Ｓ１と、シフト用レンズ４５の球面度数Ｓ２との光学的合成値（合成球面度数）Ｓが略リアルタイムに求められて、表示部５１に表示される。
【０１００】
オペレータ９０は、検眼チャート１１の見え方に対する被検者８０の受応えと、上記表示された合成球面度数Ｓ等を参考にして分析しながら、最適な合成球面度数Ｓとなるようにコントローラ５３を操作する。
【０１０１】
同様に、Ｖｃｃレンズ４４の円柱度数Ｃおよび円柱軸の軸角度Ａを変化させるようにコントローラ５３を操作すると、このコントローラ５３の駆動制御によってフォロプタ３１ａ，３１ｂ内のモータ４４ｄが駆動・停止し、このモータ４４ｄの駆動・停止に応じて、Ｖｃｃレンズ４４を構成する２枚のシリンダレンズ４４ａ，４４ｂがそれぞれ回転変位する。
【０１０２】
そして、このシリンダレンズ４４ａ，４４ｂの回転変位量θ１，θ２に応じて、検眼窓４１，４２におけるＶｃｃレンズ４４の円柱度数Ｃおよび円柱軸の軸角度Ａが変化する。
【０１０３】
一方、この回転変位量θ１，θ２は検出手段４４ｅによって検出され、上述した初期値θ１，θ２＝０の場合と同様の作用によって、屈折特性検出手段５２が回転変位量θ１，θ２に対応した円柱度数Ｃおよび円柱軸の軸角度Ａを求め、さらにこの求められた円柱度数Ｃおよび円柱軸の軸角度Ａが略リアルタイムに、表示部５１に表示される。
【０１０４】
オペレータ９０は、検眼チャート１１の見え方に対する被検者８０の受応えと、上記表示された円柱度数Ｃおよび円柱軸の軸角度Ａ等を参考にして分析しながら、最適な円柱度数Ｃおよび円柱軸の軸角度Ａとなるようにコントローラ５３を操作する。
【０１０５】
以上の操作によって、遠方視についての被検眼の屈折特性の検査（いわゆる遠方視検査）が終了し、この被検眼に最適な仮の処方値（球面度数Ｓ、円柱度数Ｃおよび円柱軸の軸角度Ａ）が求められる。
【０１０６】
続いて、手元や足元などの近距離についての被検眼の屈折特性の検査（いわゆる近方視検査）が行われる。
【０１０７】
この近方視検査では、チャート提示装置１０に提示された検眼チャート１１を略水平方向に視認して検査するのではなく、被検者８０はこのヘッドユニット３１を装用したままで首を下方に曲げる等して、被検者８０自身の手元や足元の見え方（歪みの確認等）を検査する。
【０１０８】
すなわち、被検者８０に装用されているヘッドユニット３１は、被検者８０の顔の動きに追従しなければならないが、図２に示すように、ヘッドユニット３１を支持している支持枠３７は、ヘッドユニット３１の両側部を軸支しているため、ヘッドユニット３１は前後方向への回動が自在であり、被検者８０の首振り動作に対して確実に追従することができる。
【０１０９】
また、この支持枠３７は、上方に凸の半円形状に形成されているため、ヘッドユニット３１を装用した被検者８０が首を前方に曲げて顔を傾けた場合にも、被検者８０の顔の額より上方の部分は、支持枠３７の下方をくぐるため、支持枠３７に干渉することがなく、この点においても、被検者８０の首振り動作の妨げとなることがない。
【０１１０】
さらに、支持枠３７は、一端にバランサ３２が連結されたワイヤ３８の他端に、スプリング３９を介して連結されているが、バランサ３２は、ヘッドユニット３１の重量感を軽減させる程度の重量であるため、ヘッドユニット３１を装用している被検者８０がヘッドユニット３１ごと顔を下方に下げる動作に対して、上方への大きな引き力を感じることはなく、さらに、バランサ３２とヘッドユニット３１との間に設けられたスプリング３９によって、静止状態から首振りの動作開始時に生じる静止状態の慣性力を緩和することもできる。
【０１１１】
このようにして、被検者８０は、ヘッドユニット３１を装用したままで手元や足元等の近距離を視認することになり、オペレータ９０は、この近距離を視認している状態で、前述した遠方視検査におけるものと同様の操作、すなわち、表示ユニット５０の表示部５２に表示された上記各屈折特性を見つつ、被検者８０がヘッドユニット３１の検眼窓４１，４２を通して、手元の新聞紙に記載の文字等の見え方を聞き取りながら、被検者８０の被検眼について、近方視の屈折特性が最適となるように、アルバレッツレンズ４３、Ｖｃｃレンズ４４およびシフト用レンズ４５の屈折特性を順次変化させるように、コントローラ５３を操作する。
【０１１２】
以上の操作によって、被検者８０の被検眼について近方視検査が終了し、遠方視検査の結果と併せて、この被検眼に最適かつ最終的な処方値（球面度数Ｓ、円柱度数Ｃおよび円柱軸の軸角度Ａ）が求められる。
【０１１３】
このように、本実施の形態に係る自覚式検眼システム１００によれば、ヘッドユニット３１が、従来のターレット式レンズ群に代えて、このターレット式レンズ群よりも大幅に重量の軽いアルバレッツレンズ４３を用いており、しかも、このアルバレッツレンズ４３によって球面度数Ｓを変化させるのに要するスペースは、大きなスペースを要するターレットも用いたものと比較して、極めて小さくすることができるため（本実施の形態においては、例えば略１２ｍｍのストロークにすぎない。）、ヘッドユニット３１の大幅な小型化、軽量化を実現することができる。
【０１１４】
したがって、従来は固定的に配置されていたヘッドユニットを、被検者８０に装用させて検査を行うことができ、しかも、遠方視検査だけでなく近方視検査においてもそのままヘッドユニット３１を用いて行うことができる。
【０１１５】
よって、遠方視検査と近方視検査とを各別の方法で行う必要がなく、被検者８０にストレスを与えることなく、オペレータ９０の検査労力を軽減するとともに、検査時間の短縮を図ることができる。
【０１１６】
また、アルバレッツレンズ４３の球面度数Ｓ１のレンジ幅−１０Ｄ〜＋１０Ｄでは十分でない場合にも、シフト量の異なるいずれかのシフト用レンズ４５を選択して、アルバレッツレンズ４３と併用することにより、測定可能となる球面度数Ｓ１のレンジ幅を自在に拡大することができ、小型・軽量を確保しつつ検査性能の低下を防止することができる。
【０１１７】
そして、このようにシフト用レンズ４５を用いた場合におけるアルバレッツレンズ４３の球面度数Ｓ１とシフト用レンズ４５の球面度数Ｓ２との合成球面度数Ｓが自動的に計算されて表示ユニット５０に表示されるため、オペレータ９０自らが、これら両レンズ４３，４５の合成球面度数Ｓを計算して求める必要がなく、オペレータ９０の作業負担を軽減させるとともに、正確に合成球面度数Ｓを得ることができる。
【０１１８】
さらに、アルバレッツレンズ４３は、連続的に球面度数Ｓ１を変化させることができるため、例えば０．２５Ｄ間隔といった離散的な球面度数での切替えしかできない従来のターレット式のものと比べて、よりきめ細かく球面度数Ｓを得ることができ、精度の高い処方値を提供することができる。
【０１１９】
また、オペレータ９０は、被検者８０が装用したヘッドユニット３１とは別体の表示ユニット５０に備えられたコントローラ５３を操作することによって、遠隔的にアルバレッツレンズ４３やＶｃｃレンズ４４の屈折特性（球面度数Ｓ，円柱度数Ｃ，円柱軸の軸角度Ａ）を変化させることができ、オペレータ９０が屈折特性を変化させる都度、被検者８０に近づく必要がないため、被検者８０にリラックスした状態で受診させることができる。
【０１２０】
なお、本実施の形態に係る自覚式検眼システム１００は、表示部５２に表示する屈折特性の１つとして、アルバレッツレンズ４３の球面度数Ｓ１とシフト用レンズ４５の球面度数Ｓ２との合成球面度数Ｓを表示するものとしたが、本発明の自覚式検眼システムはこの形態のものに限るものではなく、この合成球面度数Ｓとともに、各レンズ４３，４５の球面度数Ｓ１，Ｓ２を併せて表示するようにしてもよい。
【０１２１】
また、上記実施の形態に係る自覚式検眼システム１００は、遠方視検査のためにチャート提示装置１０を備えているが、本発明に係る自覚式検眼システムにおいては、このようなチャート提示装置を具備する必要はない。
【０１２２】
さらに、ヘッドユニット３１に設けられたシフト用レンズ４５の球面度数Ｓ２を識別する構成としては、上述した光学的な識別方法の他、電気的な識別方法、磁気的な識別方法あるいはメカニカルな識別方法等、種々の識別方法を適用することができる。
【０１２３】
すなわち、電気的な識別方法としては、シフト用レンズ４５のタブ部分４５ａに、球面度数Ｓ２に応じて異なるパターンの電気接点を設け、光検出器４８に代えて、この電気接点のパターンを電気的に読み取る検出器を設ければよい。
【０１２４】
同様に磁気的な識別方法としては、球面度数Ｓ２に応じて異なるパターンの磁気接点を設け、この磁気接点のパターンを磁気的に読み取る検出器を設ければよい。
【０１２５】
また、メカニカルな識別方法としては、タブ部分４５ａを、球面度数Ｓ２に応じて異なる形状とし、この形状の違いを機械的、電気的、磁気的あるいは光学的に読み取る検出器を設ければよい。
【０１２６】
なお、アルバレッツレンズ４３を構成する光学素子４３ａ，４３ｂのうち、少なくとも下方に可動する側の光学素子４３ａについては、図６に示すように、ヘッドユニット３１における中央側の下部に面取り４３ｋを施して、この光学素子４３ａが下方に変位したとき当該光学素子４３ａの下部（面取り部分）４３ｋとヘッドユニット３１の筐体４０との干渉を回避し、光学素子４３ａの可動ストロークを延長し得るようにするのが好ましい。
【０１２７】
このように変位ストロークを延長することによって、アルバレッツレンズ４３の球面度数Ｓ１のレンジ幅を拡大し、あるいはヘッドユニット３１の筐体をより小型化することができる。
【０１２８】
【発明の効果】
以上詳細に説明したように、本発明の請求項１に係る自覚式検眼ユニットによれば、屈折特性を連続的に変化させることができるアルバレッツレンズを用いており、屈折特性変化手段であるところの変位手段によって、アルバレッツレンズを構成する２枚の光学素子を相対的に変位させることによって、アルバレッツレンズの屈折特性を変化させることができるため、従来のように、多数のレンズが配されていたターレットを備える必要がなく、自覚式検眼ユニットを小型化、軽量化することができる。
【０１２９】
そして、この小型・軽量化により、被検者は、検眼ユニットを用いて手元や足元を見ることもでき、従来の遠方視検査だけでなく、近方視検査にもそのまま使用することができる。
【０１３０】
また、検眼ユニットを被検者に装用させることができるため、被検者は首振り動作を自由に行うことができ、拘束の自由度を向上させることができる。
【０１３１】
したがって、従来は検眼ユニットによる遠方視検査の後にトライアルフレームを用いて行っていた調整用の検査を、この検眼ユニットをそのまま用いて行うことができ、眼科医等のオペレータの検査労力の軽減および検査時間の短縮、並びに被検者のストレス軽減を図ることができる。
【０１３２】
さらに、アルバレッツレンズは連続的に屈折特性を変化させることができるため、離散的な屈折特性のみしか得られなかった従来の検眼ユニットよりも、きめ細かく屈折特性を得ることができる。
【０１３３】
また、アルバレッツレンズによる屈折補正レンジの上限を上回り、あるいは下限を下回る屈折補正レンジが必要である場合には、その屈折補正レンジに適合するように、シフト用レンズを検眼ユニットに追加的に装着することによって、所望の屈折補正レンジに対応することができる。
【０１３４】
そして、このようにシフト用レンズを用いた場合におけるアルバレッツレンズの屈折特性とシフト用レンズの屈折特性との合成屈折特性は、屈折特性検出手段によって求められて、表示ユニットに表示されるため、オペレータ自らが、これら両レンズの合成屈折特性を計算して求める必要がなく、オペレータの作業負担を軽減させるとともに、常に正確に屈折特性（合成値）を得ることができる。
【０１３５】
また、本発明の請求項２に係る自覚式検眼システムによれば、屈折特性検出手段が、検眼ユニットに装着されたシフト用レンズの識別部に基づいてこのシフト用レンズの屈折特性を自動的に検出するため、オペレータが誤認する余地がなく、シフト用レンズの屈折特性を容易にかつ確実に特定することができる。
【０１３６】
また、本発明の請求項３に係る自覚式検眼システムによれば、表示ユニットに備えられたコントローラを操作することによって、検眼ユニットのアルバレッツレンズの屈折特性を変化させることができ、オペレータが検眼ユニットを操作する必要がなく、被検者に近づくことなく遠隔操作を行うことができる。
【０１３７】
したがって、被検者にストレスを与えることなく、オペレータの検査労力をさらに軽減し、検査時間をさらに短縮させることができる。
【０１３８】
また、屈折特性検出手段を構成する変位検出手段によって、光学素子間の相対的な変位を検出し、この検出された相対的な変位を、参照テーブルによって予め対応づけられている相対的な変位と比較対照して、この相対的な変位に対応する屈折特性を容易に得ることができる。
【０１３９】
なお、上述した本発明に係る各自覚式検眼システムにおいて、アルバレッツレンズの屈折特性レンジ幅を略２０Ｄ（例えば、レンジ−１０Ｄ〜＋１０Ｄ）に設定した場合、通常のアルバレッツレンズ製作技術によれば、２枚の光学素子間の相対的な変位量の幅は概略１２ｍｍ程度であり、この程度の変位量の幅であれば、光学素子の可動範囲を検眼ユニットの筐体で完全に覆った場合にも、筐体の大きさを従来のターレット式の筐体よりも大幅に小さく構成することができる。
【図面の簡単な説明】
【図１】本発明の一実施の形態に係る自覚式検眼システムを表す概略構成図である。
【図２】図１に示した自覚式検眼システムのうちヘッドユニットの詳細を示す斜視図である。
【図３】ヘッドユニットの光学系、駆動系および検出系を示す模式図である。
【図４】表示ユニットの入出力を示すブロック図である。
【図５】表示ユニットの表示を示す図である。
【図６】光学素子の下部を面取りした様子を示すヘッドユニットの正面図である。
【符号の説明】
１０　チャート提示装置
１１　検眼チャート
１２　図柄
２０　ピジョンテスタ（自覚式検眼ユニット）
３１　ヘッドユニット
３１ａ，３１ｂ　フォロプタ
３２　バランサ
３３　支持アーム
３４　支柱
３５　テンプル
３５ｂ　ベルクロストラップ
３６　鼻当て
３７　支持枠
３８　ワイヤ
３９　スプリング
４１，４２　検眼窓
４３　アルバレッツレンズ（レンズ）
４３ａ，４３ｂ　光学素子
４３ｃ　ラックアンドピニオンギヤ（屈折特性変化手段）
４３ｄ，４４ｄ　モータ（屈折特性変化手段）
４３ｅ，４４ｅ　検出手段
４３ｋ　下部
４４　Ｖｃｃレンズ
４４ａ，４４ｂ　シリンダレンズ
４４ｃ　ギヤ
４５　シフト用レンズ
４５ａ　タブ部分
４５ｂ　反射パターン（識別部）
４６　シフト用レンズ装着部
４８　光検出器
５０　表示ユニット
５１　表示部
５２　屈折特性検出部
５２ａ　参照テーブル
５３　コントローラ
６０　検査専用デスク
６１，６２　椅子
８０　被検者
９０　オペレータ
１００　自覚式検眼システム
Ｓ　　球面度数（合成屈折特性）
Ｃ　　円柱度数（屈折特性）
Ａ　　円柱軸の軸角度（屈折特性）
Ｘ　　光軸
Ｌ　　相対的変位量
θ１，θ２　回転変位量
【図１】
2004073412.tif 000003
【図２】
2004073412.tif 000004
【図３】
2004073412.tif 000005
【図４】
2004073412.tif 000006
【図５】
2004073412.tif 000007
【図６】
2004073412.tif 000008